(57)【要約】【課題】本発明はエンハンストナビゲーションプレーヤーを介してアニメーションデータを再生方法を提供する。【解決手段】オーディオ／ビデオ（Ａ／Ｖ）データと関連され、ＭＮＧファイルを含む、第１ソースからのアニメーションデータを含む第１グラフィック情報を受信する段階と；前記第１グラフィック情報から、ＰＮＧファイルを含む第２グラフィック情報を抽出する段階と；前記第２グラフィック情報を第１イメージデータにデコーディングする段階と；制御データに基づいて、前記第１イメージデータをアニメーションイメージとして再生する段階を含むエンハンストナビゲーションプレーヤーを介してアニメーションデータを再生する方法。【選択図】図１
2008035535.tif 000002
【特許請求の範囲】
【請求項１】
オーディオ／ビデオ（Ａ／Ｖ）データと関連され、ＭＮＧ（Ｍｕｌｔｉｍｅｄｉａ  Ｎｅｔｗｏｒｋ  Ｇｒａｐｈｉｃｓ）ファイルを含む、第１ソースからのアニメーションデータを含む第１グラフィック情報を受信する段階と；
前記第１グラフィック情報から、ＰＮＧ（Ｐｏｒｔａｂｌｅ  Ｎｅｔｗｏｒｋ  Ｇｒａｐｈｉｃｓ）ファイルを含む第２グラフィック情報を抽出する段階と；
前記第２グラフィック情報を第１イメージデータにデコーディングする段階；及び
制御データに基づいて、前記第１イメージデータをアニメーションイメージとして再生する段階を含むエンハンストナビゲーションプレーヤーを介してアニメーションデータを再生する方法。
【請求項２】
前記第１グラフィック情報から第１制御データを抽出する段階をさらに含み、前記第１制御データは、ＭＮＧ（Ｍｕｌｔｉｍｅｄｉａ  Ｎｅｔｗｏｒｋ  Ｇｒａｐｈｉｃｓ）制御情報で構成され、前記第１制御データは、フレームサイズ情報及びフレームレート情報を含む請求項１に記載の方法。
【請求項３】
前記第２グラフィック情報から第２制御データを抽出する段階をさらに含み、前記第２制御データは、ＰＮＧ（Ｐｏｒｔａｂｌｅ  Ｎｅｔｗｏｒｋ  Ｇｒａｐｈｉｃｓ）制御情報で構成され、前記第２制御データは、「ビット深度」、「カラータイプ」、「圧縮方法」、「フィルタ方法」、及び「インターレース方法」のうち少なくとも１つを含む請求項２に記載の方法。
【請求項４】
前記第１制御データは、物理的ピクセルサイズ情報、標準ＲＧＢ情報、ガンマ情報、色度情報、パレット情報、及び透明度情報のうち少なくとも１つをさらに含む請求項２に記載の方法。
【請求項５】
前記第１制御データは、グローバルパレット情報をさらに含む請求項２に記載の方法。
【請求項６】
前記第１ソースは、エンハンスト保存媒体またはコンテンツサーバーであり、前記受信する段階は、前記第１ソースが、前記エンハンスト保存媒体である場合、前記エンハンスト保存媒体から前記第１グラフィック情報を読み出す段階を含む請求項１に記載の方法。
【請求項７】
ＭＮＧ（Ｍｕｌｔｉｍｅｄｉａ  Ｎｅｔｗｏｒｋ  Ｇｒａｐｈｉｃｓ）ファイルを含む、オーディオ／ビデオ（Ａ／Ｖ）データと関連したアニメーションデータで構成された第１グラフィック情報をデコーディングするための第１デコーダーと；
前記第１グラフィック情報から、ＰＮＧ（Ｐｏｒｔａｂｌｅ  Ｎｅｔｗｏｒｋ  Ｇｒａｐｈｉｃｓ）ファイル、第２グラフィック情報を、デコーディングされた第１イメージデータとしてデコーディングするための第２デコーダーと；
制御データに基づいて、前記デコーディングされた第１イメージデータを受信してアニメーションイメージを再生するイメージマネジャーを含むアニメーションデータを再生するための装置。
【請求項８】
前記第１デコーダー及び前記第２デコーダーは、前記第１及び第２グラフィック情報から、第１及び第２制御情報をそれぞれ抽出し、第１制御データは、ＭＮＧ（Ｍｕｌｔｉｍｅｄｉａ  Ｎｅｔｗｏｒｋ  Ｇｒａｐｈｉｃｓ）制御情報で構成され、第２制御データは、ＰＮＧ（Ｐｏｒｔａｂｌｅ  Ｎｅｔｗｏｒｋ  Ｇｒａｐｈｉｃｓ）制御情報で構成され、前記イメージマネジャーは、ＭＮＧ（Ｍｕｌｔｉｍｅｄｉａ  Ｎｅｔｗｏｒｋ  Ｇｒａｐｈｉｃｓ）制御情報とＰＮＧ（Ｐｏｒｔａｂｌｅ  Ｎｅｔｗｏｒｋ  Ｇｒａｐｈｉｃｓ）制御情報のうち少なくとも１つに基づき、前記アニメーションイメージを再生する請求項７に記載の装置。
【請求項９】
エンハンスト保存媒体から前記第１グラフィック情報を読み出すための読み出しユニットをさらに含む請求項７に記載の装置。
【請求項１０】
コンテンツサーバーから前記第１グラフィック情報を受信するためのネットワークマネジャー；及び
前記コンテンツサーバーから受信される前記第１グラフィック情報を一時的に保存するためのデータストレージをさらに含む請求項７に記載の装置。
【請求項１１】
前記第１グラフィック情報は、ＭＮＧ（Ｍｕｌｔｉｍｅｄｉａ  Ｎｅｔｗｏｒｋ  Ｇｒａｐｈｉｃｓ）データチャンク及びＰＮＧ（Ｐｏｒｔａｂｌｅ  Ｎｅｔｗｏｒｋ  Ｇｒａｐｈｉｃｓ）データチャンクで構成される請求項７に記載の装置。
【請求項１２】
前記ＭＮＧデータチャンクは、ＭＮＧヘッダー情報及びＭＮＧエンド情報で構成され、前記ＭＮＧヘッダーは、前記オブジェクトイメージデータの再生を制御するための前記制御データを含む請求項１１に記載の装置。
【請求項１３】
前記ＰＮＧデータチャンクは、ＰＮＧヘッダー情報、ＰＮＧエンド情報、及びオブジェクトイメージデータで構成され、前記ＰＮＧヘッダー情報は、前記オブジェクトイメージデータの再生を制御するための制御データを含む請求項１１に記載の装置。
【請求項１４】
マークアップ、カスケードスタイルシート、及びスクリプト言語のうち少なくとも１つを含むドキュメントファイルと、アニメーションイメージを有するＭＮＧ（Ｍｕｌｔｉｍｅｄｉａ  Ｎｅｔｗｏｒｋ  Ｇｒａｐｈｉｃｓ）で構成されるイメージデータとを含むエンハンストコンテンツデータを含み、前記ＭＮＧファイルは、ＭＮＧチャンクデータと、オブジェクトイメージデータを含むＰＮＧ（Ｐｏｒｔａｂｌｅ  Ｎｅｔｗｏｒｋ  Ｇｒａｐｈｉｃｓ）チャンクデータとで構成されるエンハンスト保存媒体。
【請求項１５】
前記ＭＮＧファイルは、ＪＰＥＧイメージデータをさらに含む請求項１４に記載のエンハンスト保存媒体。
【請求項１６】
前記ＰＮＧチャンクデータは、ＰＮＧヘッダー情報、ＰＮＧエンド情報、及びオブジェクトイメージデータをさらに含み、前記ＰＮＧヘッダー情報は、ビット深度情報、カラータイプ情報、圧縮方法情報、フィルタ方法情報、及びインターレース方法情報のうち少なくとも１つを含む請求項１４に記載のエンハンスト保存媒体。
【請求項１７】
前記ＭＮＧチャンクデータは、フレームサイズ情報及びフレームレート情報を含むＭＮＧヘッダーと、ＭＮＧエンド識別子とで構成される請求項１４に記載のエンハンスト保存媒体。
【発明の詳細な説明】
【技術分野】
【０００１】
本発明は、対話型光ディスクのアニメーションデータ管理方法及び装置に係り、さらに詳細には対話型ＤＶＤ（ＩＤＶＤ：Ｉｎｔｅｒａｃｔｉｖｅ  Ｄｉｇｉｔａｌ  Ｖｅｒｓａｔｉｌｅ  Ｄｉｓｃ）またはエンハンストＤＶＤ（ｅＤＶＤ：Ｅｎｈａｎｃｅｄ  ＤＶＤ）のようなエンハンストナビゲーション媒体でＡ／Ｖデータと関連した多様なアニメーションデータを再生できるように、アニメーションデータを管理する方法及び装置に関する。
【背景技術】
【０００２】
デジタルデータを記録保存することができる高密度光ディスク、例えばＤＶＤが広く普及されているが、ＤＶＤは、高品質のデジタルオーディオデータはもちろん高画質の動映像データを長時間記録保存することができる大容量記録媒体である。
【０００３】
ＤＶＤは、動映像データのようなデジタルデータストリームが保存されるデータストリーム領域と動映像データの再生制御のために必要なナビゲーションデータが保存されるナビゲーションデータ領域を含む。
【０００４】
したがって、一般的なＤＶＤ再生装置では、ＤＶＤが装置内に挿入されると、ナビゲーションデータ領域に記録されたナビゲーションデータを読み出して、装置内のメモリーに保存した後、そのナビゲーションデータを利用して、データストリーム領域に記録された動映像データを再生する。これにより、ＤＶＤ再生装置を有するユーザーは、ＤＶＤに記録された高画質の動映像データを視聴することができる。
【０００５】
Ａ／Ｖデータの再生と関連した付加情報をＤＶＤに記録することができる。このような情報には、ＨＴＭＬ（Ｈｙｐｅｒ  Ｔｅｘｔ  Ｍａｒｋ  ｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）、ＣＳＳ（Ｃａｓｃａｄｉｎｇ  Ｓｔｙｌｅ  Ｓｈｅｅｔ）、スクリプティング言語（Ｓｃｒｉｐｔｉｎｇ  Ｌａｎｇｕａｇｅ；‘ＥＣＭＡ  Ｓｃｒｉｐｔ’）のようなドキュメント（Ｄｏｃｕｍｅｎｔ）タイプのコンテンツファイル、イメージデータ（‘ＪＰＥＧ’または‘ＰＮＧ’）、オーディオデータ（‘ＡＣ−３’、‘ＭＰＥＧａｕｄｉｏ’、‘ＤＴＳ’、‘ＳＤＤＳ’）、アニメーションデータ（‘ＭＮＧ’）のようなデータタイプのコンテンツファイル、及びテキスト／フォント（Ｔｅｘｔ／Ｆｏｎｔ）データが含まれる。
【発明の開示】
【発明が解決しようとする課題】
【０００６】
対話型ＤＶＤ（ＩＤＶＤ）に対する標準化が進行している。ＩＤＶＤに記録されたＡ／Ｖデータはユーザーの対話型要求によって再生される。このような対話型ＤＶＤが商用化されれば、メインＡ／Ｖデータと関連した多様なコンテンツがデジタル記録媒体を介して広く提供されて、ユーザーの便宜が向上することが期待される。
【０００７】
ＤＶＤに記録されたメインＡ／Ｖデータを再生しながら、前に列挙した多様なタイプのコンテンツファイルをコンテンツサーバーから受け入れるための方案が実現されており、メインＡ／Ｖデータとこれと関連したコンテンツ、例えば多様なアニメーションデータを、ユーザーの要求によって效率的に再生するための方案が要求されている。
【課題を解決するための手段】
【０００８】
本発明の多くの実施態様によって、エンハンストナビゲーションプレーヤーを介してアニメーションデータを再生する方法が提供される。本方法は、第１ソースから読み出すオーディオ／ビデオ（Ａ／Ｖ）データと関連したアニメーションデータと制御データとで構成された第１グラフィック情報を受信する段階と；前記第１グラフィック情報から第２及び第３グラフィック情報を抽出する段階と；前記第２及び第３グラフィック情報を第１及び第２イメージデータでそれぞれデコーディングする段階；及び前記制御データに基づいて、前記第１及び第２イメージデータのうち少なくとも一つをアニメーションイメージとして再生する段階を含むことを特徴とする。
【０００９】
一例において、第１制御データは前記第１グラフィック情報から抽出され、第２制御データは前記第２グラフィック情報から抽出され、第３制御データは前記第３グラフィック情報から抽出される。また、例えば、前記第１グラフィック情報はＭＮＧ（Ｍｕｌｔｉｍｅｄｉａ  Ｎｅｔｗｏｒｋ  Ｇｒａｐｈｉｃｓ）ファイルであって、前記第２グラフィック情報はＰＮＧ（Ｐｏｒｔａｂｌｅ  Ｎｅｔｗｏｒｋ  Ｇｒａｐｈｉｃｓ）ファイルであって、前記第３グラフィック情報はＪＮＧ（ＪＰＥＧ  Ｎｅｔｗｏｒｋ  Ｇｒａｐｈｉｃｓ）ファイルである。
【００１０】
前記第１制御データはＭＮＧ制御情報で構成されて、前記第２制御データはＰＮＧ制御情報で構成されて、前記第３制御データはＪＮＧ制御情報で構成される。
【００１１】
一例における本方法は、前記第１グラフィック情報から第１制御データを抽出する段階と；前記第２グラフィック情報から第２制御データを抽出する段階；及び前記第３グラフィック情報から第３制御データを抽出する段階をさらに含み、前記制御データは前記第１、第２、及び第３制御データで構成されることを特徴とする。
【００１２】
例えば、前記第１制御データはＭＮＧ制御情報で構成され、前記第２制御データはＰＮＧ制御情報で構成され、前記第３制御データはＪＮＧ制御情報で構成されることができる。また、前記第１グラフィック情報はＭＮＧファイルであって、前記第２グラフィック情報はＰＮＧファイルであって、前記第３グラフィック情報はＪＮＧファイルである。
【００１３】
本発明の他の実施態様は、エンハンストナビゲーションプレーヤーを介してアニメーションデータを再生する方法であり、本方法は、第１ソースから読み出すオーディオ／ビデオ（Ａ／Ｖ）データと関連したアニメーションデータと制御データで構成された第１グラフィック情報を受信する段階と；前記第１グラフィック情報を保存媒体に保存する段階と；前記第１グラフィック情報から第２及び第３グラフィック情報を抽出する段階と；前記第２及び第３グラフィック情報を第１及び第２イメージデータでそれぞれデコーディングする段階と；前記第１、第２、及び第３グラフィック情報から第１、第２、及び第３制御データを抽出する段階と；前記制御データに基づいて、前記第１及び第２イメージデータのうち少なくとも一つをアニメーションイメージとして再生する段階を含むことを特徴とする。
【００１４】
一例では、前記制御データが前記第１、第２、及び第３制御データで構成され、前記第１制御データはＭＮＧ制御情報で構成され、前記第２制御データはＰＮＧ制御情報で構成されて、前記第３制御データはＪＮＧ制御情報で構成される。
【００１５】
前記第１グラフィック情報はＭＮＧファイルであって、前記第２グラフィック情報はＰＮＧファイルであって、前記第３グラフィック情報はＪＮＧファイルである。また、前記第１ソースはエンハンストナビゲーション媒体であるかコンテンツサーバーである。前記保存媒体は一時的保存媒体でよく、前記第１ソースは対話型ＤＶＤでよい。
【００１６】
前記第１グラフィック情報はＭＮＧ、ＰＮＧ、及びＪＮＧデータチャンクで構成されてもよい。前記ＭＮＧデータチャンクは、ＭＮＧヘッダー情報、ＭＮＧエンド情報、及びアニメーションイメージの再生のための制御情報を含み、前記ＰＮＧデータチャンクは、ＰＮＧヘッダー情報、ＰＮＧエンド情報、オブジェクトイメージデータ、及びそのオブジェクトイメージデータの再生を制御するための制御情報を含む。
【００１７】
前記ＪＮＧデータチャンクは、ＪＮＧヘッダー情報、ＪＮＧエンド情報、ＪＰＥＧイメージデータ、及び前記ＪＰＥＧイメージデータの再生を制御するための制御情報を含む。前記ＪＰＥＧイメージデータは、表示装置のサイズに基づいて、前記表示装置に表示されるイメージデータに対する画面比を決めるための多次元密度属性を含む。前記多次元密度属性は、一例では水平ピクセル密度Ｘを含み、また垂直ピクセル密度Ｙを含んでもよい。
【００１８】
本発明の他の実施態様によるアニメーションデータを再生するためのエンハンストナビゲーションプレーヤーは、第１ソースから読み出すオーディオ／ビデオ（Ａ／Ｖ）データと関連したアニメーションデータと制御データとで構成された第１グラフィック情報を受信する第１デコーダーと；前記第１グラフィック情報から第２グラフィック情報をデコーディングされた第１イメージデータとして抽出する第２デコーダーと；前記第１グラフィック情報から第３グラフィック情報を第２イメージデータとして抽出するパーザと；前記第３グラフィック情報をデコーディングされた第２イメージデータとしてデコーディングする第３デコーダーと；前記制御データに基づいて、前記デコーディングされた第１及び第２イメージデータを受信してアニメーションイメージの形で再生するイメージマネジャーを含むことを特徴とする。
【００１９】
前記第１デコーダー、第２デコーダー、及びパーザは、前記第１、第２、及び第３グラフィック情報から第１、第２、及び第３制御データをそれぞれ抽出する。前記第１制御データはＭＮＧ制御情報を含み、前記第２制御データはＰＮＧ制御情報を含み、前記第３制御データはＪＮＧ制御情報を含む。前記第１グラフィック情報はＭＮＧファイルであって、前記第２グラフィック情報はＰＮＧファイルであって、前記第３グラフィック情報はＪＮＧファイルである。
【００２０】
前記第１ソースはエンハンストナビゲーション媒体、コンテンツサーバー、または対話型ＤＶＤである。また、前記第１デコーダーから受信される第１グラフィック情報を一時的に保存する保存媒体をさらに含んでもよい。
【００２１】
一例で、前記第１グラフィック情報はＭＮＧ、ＰＮＧ、及びＪＮＧデータチャンクを含む。前記ＭＮＧデータチャンクは、ＭＮＧヘッダー情報、ＭＮＧエンド情報、及びアニメーションイメージの再生のための制御情報を含み、前記ＰＮＧデータチャンクは、ＰＮＧヘッダー情報、ＰＮＧエンド情報、オブジェクトイメージデータ、及び前記オブジェクトイメージデータの再生を制御するための制御情報を含む。
【００２２】
前記ＪＮＧデータチャンクは、ＪＮＧヘッダー情報、ＪＮＧエンド情報、ＪＰＥＧイメージデータ、及び前記ＪＰＥＧイメージデータの再生を制御するための制御情報を含む。前記ＪＰＥＧイメージデータは、表示装置のサイズに基づいて、前記表示装置に表示されるイメージデータに対する画面比を決めるための多次元密度属性を含む。
【００２３】
本発明のさらに他の実施態様によるエンハンストナビゲーションプレーヤーは、エンハンストナビゲーション媒体またはコンテンツサーバーのうち少なくとも一つから読み出すオーディオ／ビデオ（Ａ／Ｖ）データと関連したアニメーションデータと制御データとで構成されたＭＮＧグラフィック情報を受信するＭＮＧデコーダーと；前記ＭＮＧグラフィック情報からＰＮＧグラフィック情報をデコーディングされた第１イメージデータとして抽出するＰＮＧデコーダーと；前記ＭＮＧグラフィック情報からＪＮＧグラフィック情報をＪＰＥＧイメージデータとして抽出するＪＮＧパーザと；前記ＪＮＧグラフィック情報をデコーディングされた第２イメージデータでデコーディングするＪＰＥＧデコーダーと；前記制御データに基づいて、前記デコーディングされた第１及び第２イメージデータを受信してアニメーションイメージとして再生するＭＮＧレイアウトマネジャーを含むことを特徴とする。
【００２４】
前記ＭＮＧデコーダー、ＰＮＧデコーダー、及びＪＮＧパーザは、前記ＭＮＧ、ＰＮＧ、及びＪＮＧグラフィック情報からＭＮＧ、ＰＮＧ、及びＪＮＧ制御データをそれぞれ抽出する。
【００２５】
本発明のさらに他の実施態様によるエンハンストナビゲーション媒体は、オーディオ／ビデオ（Ａ／Ｖ）データと；エンハンストナビゲーションプレーヤーによる前記Ａ／Ｖデータの再生を制御するためのナビゲーションデータと；前記Ａ／Ｖデータと制御データをパックした構造的な構成を含み、その構造的な構成はアニメーション情報を有するＭＮＧファイルを含むデータフレームを含むことを特徴とする。
【００２６】
前記ＭＮＧファイルは、ＭＮＧチャンクデータ；及びＰＮＧチャンクデータとＪＮＧチャンクデータのうち少なくとも一つで構成される。前記ＭＮＧチャンクデータは、ＭＮＧヘッダーフレーム識別子；ＭＮＧエンドフレーム識別子；及びＭＮＧ制御情報で構成される。
【００２７】
本発明のさらに他の実施態様による、エンハンストナビゲーションプレーヤーを介して再生されるアニメーションデータをパックするためのエンハンストナビゲーションデータ構造は、ＭＮＧファイルを含み、このＭＮＧファイルが、オーディオ／ビデオ（Ａ／Ｖ）データ；及び前記エンハンストナビゲーションプレーヤーによる前記Ａ／Ｖデータの再生を制御するためのナビゲーションデータを含むことを特徴とする。
【００２８】
前記Ａ／Ｖデータとナビゲーションデータは、ＭＮＧチャンクデータ；及びＰＮＧチャンクデータとＪＮＧチャンクデータのうち少なくとも一つにパックされる。前記ＭＮＧチャンクデータは、ＭＮＧヘッダーフレーム識別子；ＭＮＧエンドフレーム識別子；及びＭＮＧ制御情報を含み、前記ＰＮＧチャンクデータは、ＰＮＧヘッダーフレーム識別子；ＰＮＧエンドフレーム識別子；及びＭＮＧ制御情報を含み、前記ＪＮＧチャンクデータは、ＪＮＧヘッダーフレーム識別子；ＪＮＧエンドフレーム識別子；及びＪＮＧ制御情報を含む。
【発明を実施するための最良の形態】
【００２９】
図１を参照にして、エンハンストナビゲーションプレーヤー、またはＥＮＡＶまたはＩＤＶＤプレーヤーのような対話型ディスクプレーヤーを説明する。本発明の実施形態を、ＩＤＶＤまたはエンハンストナビゲーション（ＥＮＡＶ）ディスクまたはディスクプレーヤーと連係して説明するが、これは単に例のためであって、ここで提供するシステム及び方法は他の形態の記録媒体またはコンテンツプレーヤー装置にも適用できる。
【００３０】
図１のＩＤＶＤプレーヤーのような対話型ディスクプレーヤーはＥＮＡＶエンジン１００を含む。ＥＮＡＶエンジン１００は、ネットワークを介して連結したコンテンツサーバー３００からＥＮＡＶコンテンツをダウンロードするためのネットワークマネジャー１０、ＩＤＶＤのようなコンテンツディスク４００に記録されたＥＮＡＶコンテンツをプレロードするＥＮＡＶバッファー１１、及びＥＮＡＶドキュメントを受信してそれに対応するデータ処理動作を遂行するドキュメント処理部１２を含む。
【００３１】
テキストデータと、オーディオ、イメージ、フォント、ビデオ又はオーディオデータを使用するアニメーションデータのようなエレメントデータとをデコーディングするエレメントデコーダー１３、ＥＮＡＶバッファーを制御すると共にドキュメント処理部１２から受信される制御信号に関連した必要な動作を遂行し、さらにユーザートリガー信号、ＤＶＤトリガー信号、ＤＶＤステータス信号、ＤＶＤコントロール信号を受信し、かつ発信するＥＮＡＶインターフェースハンドラー１４、及びオーディオ及びビデオを出力するＡＶレンダラ１５を含むＥＮＡＶエンジン１００を一またはいくつかの実施形態が含んでいる。
【００３２】
ＥＮＡＶエンジン１００はＤＶＤ−Ｖｉｄｅｏ再生エンジン２００と連結されている。コンテンツサーバー３００は、ネットワークマネジャー１０と連結されて、対話型ＤＶＤ  ４００に記録されたＡ／Ｖデータに関連した多様なコンテンツを、複数のデータファイルに伝送する。ＥＮＡＶコンテンツデータは、例えば図２に示したように、一つ以上の‘ＸＨＴＭＬＤｏｃｕｍｅｎｔ’ファイルとこれに関連したイメージ、アニメーション、オーディオ、またはテキスト／フォントデータで構成されたＥＮＡＶユニット（ＥＮＡＶＵｎｉｔ）ごとに区分されて伝送される。
【００３３】
前記アニメーションデータは、例えばデータフォーマットに記録されたＭＮＧ（Ｍｕｌｔｉｍｅｄｉａ  Ｎｅｔｗｏｒｋ  Ｇｒａｐｈｉｃｓ）ファイルとして伝送することができる。アニメーションデータのＭＮＧファイルは、例えばＰＮＧ（Ｐｏｒｔａｂｌｅ  Ｎｅｔｗｏｒｋ  Ｇｒａｐｈｉｃｓ）ファイルまたはＪＮＧ（ＪＰＥＧ  Ｎｅｔｗｏｒｋ  Ｇｒａｐｈｉｃｓ）ファイルを含む。
【００３４】
図３はＭＮＧチャンクデータ（Ｃｈｕｎｋ  Ｄａｔａ）及びＰＮＧとＪＮＧのチャンクデータ構造を示したものである。例えば、ＭＮＧファイルの先頭にはＭＮＧヘッダー情報（ＭＨＤＲ）が記録され、後端にはＭＮＧエンド情報（ＭＥＮＤ）が記録され、イメージデータのＰＮＧファイルとＪＮＧファイルがこのＭＮＧファイルにさらに記録される。ＰＮＧファイルとＪＮＧファイルのイメージデータを再生制御するための多様なコントロール情報（ＴＥＲＭ、ｐＨＹｓ．．）を記ＭＮＧファイルに選択的に記録することができる。
【００３５】
ＰＮＧファイルの先頭には、ＰＮＧヘッダー情報（ＩＨＤＲ）が記録され、後端にはＰＮＧエンド情報（ＩＥＮＤ）が記録され、アニメーション映像としてディスプレイされるオブジェクトイメージデータ（ＩＤＡＴ）と、そのオブジェクトイメージデータを再生制御するためのコントロール情報（ｐＨＹｓ、ｓＲＧＢ．．）がＰＮＧファイルに選択的に記録される。
【００３６】
ＪＮＧファイルの先頭には、ＪＮＧヘッダー情報（ＪＨＤＲ）が記録され、後端にはＪＮＧエンド情報（ＩＥＮＤ）が記録され、アニメーション映像としてディスプレイされるＪＰＥＧイメージデータ（ＪＤＡＴ）と、そのＪＰＥＧイメージを再生制御するためのコントロール情報（ｐＨＹｓ、ｓＲＧＢ．．）がＪＮＧファイルに選択的に記録される。
【００３７】
一実施形態で、アニメーションデータのＭＮＧファイルは、コンテンツサーバー３００から受信されてＥＮＡＶバッファー１１に一時的に保存されるか、他の実施形態では、対話型ＤＶＤ  ４００の特定記録領域から読み出してＥＮＡＶバッファー１１に一時的保存される。ＭＮＧファイルをアニメーション映像として再生するためのエレメントデコーダー１３に含まれるアニメーションデコーダーは、図４に示したように、ＭＮＧ−ＬＣデコーダー１３０、ＰＮＧデコーダー１３１、ＪＮＧチャンクパーザ１３２、ＪＰＥＧデコーダー１３３、そしてレイアウトマネジャー１３４を含む。
【００３８】
これにより、アニメーションデータのＭＮＧファイルが、対話型ＤＶＤ  ４００から読み出したりまたはコンテンツサーバー３００から受信されて、ＭＮＧ−ＬＣデコーダー１３０によりそれぞれＰＮＧファイルとＪＮＧファイルに分離すると共に、ＭＮＧファイルに含まれたコントロール情報も分離されて、ＭＮＧレイアウトマネジャー１３４に出力される。
【００３９】
また、分離されたＰＮＧファイルは、ＰＮＧデコーダー１３１によりデコーディングされるが、この時ＰＮＧファイルに含まれたコントロール情報とデコーディングされたオブジェクトイメージが、ＭＮＧレイアウトマネジャー１３４にそれぞれ出力されて、分離されたＪＮＧファイルが、ＪＮＧチャンクパーザ１３２により、コントロール情報とＪＰＥＧイメージデータに分離される。
【００４０】
ＪＮＧファイルのコントロール情報が、ＭＮＧレイアウトマネジャー１３４に出力され、ＪＰＥＧイメージデータが、ＪＰＥＧデコーダー１３３によりＪＰＥＧイメージでデコーディングされ、ＭＮＧレイアウトマネジャー１３４に出力される。ＪＮＧチャンクパーザ１３２とＪＰＥＧデコーダー１３３は一体に構成させることができ、またＭＮＧ−ＬＣデコーダー１３０、ＰＮＧデコーダー１３１、そしてＪＮＧチャンクパーザ１３２におけるコントロール情報及びファイル分離動作は、例えばチャンクデータのタイプに基づいてそれぞれ区分分離される。
【００４１】
そして、ＭＮＧレイアウトマネジャー１３４は、ＭＮＧコントロール情報、ＰＮＧコントロール情報、そしてＪＮＧコントロール情報をそれぞれ参照して、デコーディングされたオブジェクトイメージとＪＰＥＧイメージを、ＤＶＤエンジンにより再生されるメインＡ／Ｖデータに関連するアニメーション映像として再生する。
【００４２】
したがって、対話型光ディスクプレーヤーは、対話型ＤＶＤ  ４００から読み出してメインＡ／Ｖデータを再生しながら、コンテンツサーバー３００から受信されるかまたは前記対話型ＤＶＤ  ４００から読み出されたアニメーションデータのＭＮＧファイルを、メインＡ／Ｖデータに関連するアニメーション映像として再生することができる。
【００４３】
前記のようなアニメーション映像の再生制御のために選択的に付加記録されるコントロール情報を、対話型ＤＶＤにさらに適するように、效率的に記録するための対話型光ディスクのアニメーションコントロール情報管理方法に対して詳細に説明する。
【００４４】
図５に示したように、アニメーションデータのＭＮＧファイルのうち主要コントロールチャンクに該当するＭＮＧヘッダー情報（ＭＨＤＲ）には画面サイズを制限するための‘Ｆｒａｍｅ_ｗｉｄｔｈ’（０  ｔｏ  ７２０）と‘Ｆｒａｍｅ_ｈｅｉｇｈｔ’（０  ｔｏ  ４８０（５７６））情報が記録され、さらにフレームレートを制限するための‘Ｔｉｃｋｓ_ｐｅｒ_ｓｅｃｏｎｄ’（ｕｐ  ｔｏ  ２４）情報が記録される。
【００４５】
また、ＭＮＧヘッダー情報（ＭＨＤＲ）には、例えば‘Ｎｏｍｉｎａｌ_ｌａｙｅｒ_ｃｏｕｎｔ’情報、‘Ｎｏｍｉｎａｌ_ｆｒａｍｅ_ｃｏｕｎｔ’情報、‘Ｎｏｍｉｎａｌ_ｌａｙｅｒ_ｃｏｕｎｔ’情報、‘Ｓｉｍｐｌｉｃｉｔｙ_ｐｒｏｆｉｌｅ’情報等がさらに含まれ、ＭＮＧファイルの最終を知らせるためのＭＮＧエンド情報（ＭＥＮＤ）が、エンプティチャンク（Ｅｍｐｔｙ  Ｃｈｕｎｋ）に記録される。
【００４６】
図６に示したように、ＭＮＧファイルのうちイメージ定義チャンク（Ｉｍａｇｅ  Ｄｅｆｉｎｉｎｇ  Ｃｈｕｎｋｓ）に該当するＤＥＦＩ（Ｄｅｆｉｎｅ  ａｎ  ｏｂｊｅｃｔ）情報には、例えば‘Ｏｂｊｅｃｔ_ｉｄ’情報、‘Ｄｏ_ｎｏｔ_ｓｈｏｗ’情報、‘Ｃｏｎｃｒｅｔｅ_ｆｌａｇ’情報、‘Ｘ_ｌｏｃａｔｉｏｎ’情報、‘Ｙ_ｌｏｃａｔｉｏｎ’情報、‘Ｌｅｆｔ_ｃｂ’情報、‘Ｒｉｇｈｔ_ｃｂ’情報、‘Ｔｏｐ_ｃｂ’情報、‘Ｂｏｔｔｏｍ_ｃｂ’情報等が含まれるが、一つのオブジェクトだけが存在する場合、‘Ｏｂｊｅｃｔ_ｉｄ’情報と‘Ｃｏｎｃｒｅｔｅ_ｆｌａｇ’情報は省略して、‘Ｄｏ_ｎｏｔ_ｓｈｏｗ’情報は‘０ｘ００（ｖｉｓｉｂｌｅ）’として記録される。
【００４７】
そして、フレームの面積と高さを示す‘Ｒｉｇｈｔ_ｃｂ’情報と‘Ｂｏｔｔｏｍ_ｃｂ’情報を除外した残りの情報は、例えば‘Ｄｅｆａｕｌｔ  ０’として記録されて、またＰＬＴＥ（Ｇｌｏｂａｌ  ｐａｌｅｔｔｅ）情報には、例えば最大２５６Ｒ／Ｇ／Ｂカラーをそれぞれ示すための‘ｍａｘ（２５６ｘ３）Ｂ’情報が記録されて、ｔＲＮＳ（Ｇｌｏｂａｌ  ｔｒａｎｓｐａｒｅｎｃｙ）情報には、例えば２５６Ｒ／Ｇ／Ｂカラーに対するトランスペアレンシを示すための情報が記録される。
【００４８】
また、ＭＮＧファイルはＩＨＤＲ／ＪＨＤＲ情報、ＩＤＡＴ／ＪＤＡＴ情報、そしてＩＥＮＤ情報をさらに含む。ＴＥＲＭ（Ｔｅｒｍｉｎａｔｉｏｎ）情報には、‘Ｔｅｒｍｉｎａｔｉｏｎ_ａｃｔｉｏｎ’情報、‘Ａｃｔｉｏｎ_ａｆｔｅｒ_ｉｔｅｒａｔｉｏｎ’情報、‘Ｄｅｌａｙ’情報、‘Ｉｔｅｒａｔｉｏｎ_ｍａｘ’情報が含まれるが、‘Ｔｅｒｍｉｎａｔｉｏｎ_ａｃｔｉｏｎ’情報が‘０’の場合、アニメーションフレームが最終ディスプレイされた状態を示して、‘１’の場合、ディスプレイが完了すると自動的に消えることを示す。
【００４９】
‘Ｔｅｒｍｉｎａｔｉｏｎ_ａｃｔｉｏｎ’情報が、‘２’の場合、最初のフレームへ帰って、‘３’の場合、例えば最初のフレームから最終のフレームまで範囲内でディスプレイ動作をスタートすることを示す。
【００５０】
そして、‘Ａｃｔｉｏｎ_ａｆｔｅｒ_ｉｔｅｒａｔｉｏｎ’情報は、例えば、‘０’の場合、アニメーションフレームが最終ディスプレイされた状態を示し、‘１’の場合、ディスプレイが完了すると自動的に消えることを示しており、‘２’の場合、最初のフレームへ帰ることを示す。
【００５１】
また、‘Ｄｅｌａｙ’情報は一度再生の後、次の再生までの休止（Ｉｄｌｅ）時間周期を示し、‘Ｉｔｅｒａｔｉｏｎ_ｍａｘ’情報は、アニメーションフレームを繰り返して再生することができる最大値を示し、無限再生モードの場合、例えば‘０ｘ７ＦＦＦＦＦＦ’値として記録される。
【００５２】
図７に示したように、ＭＮＧファイルのうちイメージディスプレイチャンクに該当するＢＡＣＫ（Ｂａｃｋｇｒｏｕｎｄ）情報には、‘Ｒｅｄ_ｂａｃｋｇｒｏｕｎｄ’情報、‘Ｇｒｅｅｎ_ｂａｃｋｇｒｏｕｎｄ’情報、‘Ｂｌｕｅ_ｂａｃｋｇｒｏｕｎｄ’情報が含まれるが、ＢＡＣＫ情報はアニメーションフレームの背景カラーを設定するための情報である。
【００５３】
そして、ＦＲＡＭ（Ｆｒａｍｅ  ｄｅｆｉｎｉｔｉｏｎｓ）情報には、例えばＭＮＧ−ＬＣバージョン１．０で定義しているフレームモード（Ｆｒａｍｅ_ｍｏｄｅ）、サブフレーム名（Ｓｕｂ_ｆｒａｍｅ_ｎａｍｅ）等のような情報が含まれる。一方、図８に示したように、アニメーションデータのＰＮＧファイルのうち主要ＰＮＧチャンクに該当するＩＨＤＲ（Ｉｍａｇｅ  ｈｅａｄｅｒ）情報には、ＩＤＶＤで画面面積と高さを制限するための‘Ｗｉｄｔｈ’（０  ｔｏ  ７２０）と‘Ｈｅｉｇｈｔ’（０  ｔｏ  ４８０（５７６））情報が含まれる。
【００５４】
ＩＨＤＲ（Ｉｍａｇｅ  ｈｅａｄｅｒ）情報には、‘Ｂｉｔ  Ｄｅｐｔｈ’情報、‘Ｃｏｌｏｒ  ｔｙｐｅ’情報、‘Ｃｏｍｐｒｅｓｓｉｏｎ  ｍｅｔｈｏｄ’情報、‘Ｆｉｌｔｅｒ  ｍｅｔｈｏｄ’情報、及び‘Ｉｎｔｅｒｌａｃｅ  ｍｅｔｈｏｄ’情報が含まれるが、‘Ｂｉｔ  Ｄｅｐｔｈ’情報はパレットのインデックスをそれぞれ表現する時使われるデータの長さ値が例えば‘８’の場合、２の８乗個の表現が可能であるので、２５６個のカラーを表現することができる。
【００５５】
‘Ｃｏｌｏｒ  ｔｙｐｅ’情報は、イメージ内のカラーを表現するための情報とであり、ＰＮＧフォーマットに従っている。‘Ｃｏｍｐｒｅｓｓｉｏｎ  ｍｅｔｈｏｄ’情報と‘Ｆｉｌｔｅｒ  ｍｅｔｈｏｄ’情報はまだあらゆる機能が未定である。‘Ｉｎｔｅｒｌａｃｅ  ｍｅｔｈｏｄ’情報はインターレース機能を支援しないとき‘０ｘ００’と記録される。
【００５６】
また、ＰＬＴＥ（Ｐａｌｅｔｔｅ）情報には、最大２５６Ｒ／Ｇ／Ｂカラーをそれぞれ示すための‘ｍａｘ（２５６ｘ３）Ｂ’情報が含まれ、ＩＤＡＴ（Ｉｍａｇｅ  Ｄａｔａ）情報には実際イメージデータが記録され、ＰＮＧファイルの最終を知らせるための情報としてＩＥＮＤ情報は、エンプティチャンク（Ｅｍｐｔｙ  Ｃｈｕｎｋ）として記録される。
【００５７】
図９に示したように、ＰＮＧファイルのうち補助ＰＮＧチャンクに該当するｔＲＮＳ（Ｔｒａｎｓｐａｒｅｎｃｙ）情報には、例えば２５６Ｒ／Ｇ／Ｂカラーに対するトランスペアレンシを示すための‘ｍａｘ２５６Ｂ’情報が含まれる。ｇＡＭＡ（Ｇａｍｍａ）情報には、ｓＲＧＢを支援するために固定された値、例えば‘（４５４５５ｓＲＧＢ）’が記録されるが、もしｓＲＧＢを使わなければ、他の値を記録することができる。
【００５８】
そして、ｃＨＲＭ（Ｐｒｉｍａｒｙ  ｃｈｒｏｍａｔｉｃｉｔｉｅｓ）情報には、‘Ｗｈｉｔｅ  ｐｏｉｎｔ  ｘ’情報、‘Ｗｈｉｔｅ  ｐｏｉｎｔ  ｙ’情報、‘Ｒｅｄ  ｐｏｉｎｔ  ｘ’情報、‘Ｒｅｄ  ｐｏｉｎｔ  ｙ’情報、‘Ｇｒｅｅｎ  ｐｏｉｎｔ  ｘ’情報、‘Ｇｒｅｅｎ  ｐｏｉｎｔ  ｙ’情報、‘Ｂｌｕｅ  ｐｏｉｎｔ  ｘ’情報、‘Ｂｌｕｅ  ｐｏｉｎｔ  ｙ’情報が含まれる。
【００５９】
また、ｃＨＲＭ情報には、ｓＲＧＢ（Ｓｔａｎｄａｒｄ  ＲＧＢ  ｃｏｌｏｒ  ｓｐａｃｅ）情報とｐＨＹｓ（Ｐｈｙｓｉｃａｌ  ｐｉｘｅｌ  ｄｉｍｅｎｓｉｏｎｓ）情報がさらに含まれても良い。ｐＨＹｓ情報に記録される‘Ｐｉｘｅｌｓ  ｐｅｒ  ｕｎｉｔ  ｘ’は、例えば画面比４：３または１６：９を示して、‘Ｐｉｘｅｌｓ  ｐｅｒ  ｕｎｉｔ  ｙ’は、例えばＮＴＳＣまたはＰＡＬを示す値で記録される。
【００６０】
さらに、図１０に示したように、アニメーションデータのＪＮＧファイルのうち主要ＪＮＧチャンクに該当するＪＨＤＲ（ＪＮＧ  ｈｅａｄｅｒ）情報には、画面の面積と高さを制限するための‘Ｗｉｄｔｈ’（０  ｔｏ  ７２０）と‘Ｈｅｉｇｈｔ’（０  ｔｏ  ４８０（５７６））情報が含まれ、‘Ｃｏｌｏｒ  ｔｙｐｅ’情報、‘Ｉｍａｇｅ_ｓａｍｐｌｅ_ｄｅｐｔｈ’情報、‘Ｉｍａｇｅ_Ｃｏｍｐｒｅｓｓｉｏｎ  ｍｅｔｈｏｄ’情報、‘Ｉｍａｇｅ_ｉｎｔｅｒｌａｃｅ_ｍｅｔｈｏｄ’情報も含まれる。
【００６１】
‘Ｉｍａｇｅ_ｓａｍｐｌｅ_ｄｅｐｔｈ’情報にはＪＰＥＧファイルで使われるイメージサンプルデータのビットサイズを、例えば８ビットに制限するための‘０ｘ０８’値が記録され、‘Ｉｍａｇｅ_Ｃｏｍｐｒｅｓｓｉｏｎ  ｍｅｔｈｏｄ’情報は、例えばＩＤＶＤで制限しているＩＳＯ１０９１８−１ホフマン符号化されたＪＰＥＧ圧縮方式が使われ、‘Ｉｍａｇｅ_ｉｎｔｅｒｌａｃｅ_ｍｅｔｈｏｄ’情報には、シーケンシャル圧縮のみを支援することができるようにするための‘０ｘ００’値が記録される。
【００６２】
そして、ＪＨＤＲ情報には、例えば‘Ａｌｐｈａ_ｓａｍｐｌｅ_ｄｅｐｔｈ’情報、‘Ａｌｐｈａ_ｃｏｍｐｒｅｓｓｉｏｎ_ｍｅｔｈｏｄ’情報、‘Ａｌｐｈａ_ｆｉｌｔｅｒ_ｍｅｔｈｏｄ’情報、‘Ａｌｐｈａ_ｉｎｔｅｒｌａｃｅ_ｍｅｔｈｏｄ’情報がさらに含まれる。α（Ａｌｐｈａ）は透明度に該当するものであって、‘Ａｌｐｈａ_ｓａｍｐｌｅ_ｄｅｐｔｈ’情報は、例えば一つのα値を示すためのものであって、例えばその値が４ならば２の４乗だけ種類を生じさせることができる。
【００６３】
‘Ａｌｐｈａ_ｉｎｔｅｒｌａｃｅ_ｍｅｔｈｏｄ’情報は、例えば、インターレース機能を支援しない‘０ｘ００’値が記録され、ＪＤＡＴ（Ｉｍａｇｅ  Ｄａｔａ）情報には実際のイメージデータが記録され、ＪＮＧファイルの最終を知らせるための情報としてＩＥＮＤ情報（ＭＥＮＤ）は、例えばエンプティチャンク（Ｅｍｐｔｙ  Ｃｈｕｎｋ）が記録される。
【００６４】
一方、図１１に示したように、ＪＮＧファイルのうち補助ＪＮＧチャンクに該当するｇＡＭＡ（Ｇａｍｍａ）情報には、ｓＲＧＢを支援するために固定された値、例えば‘（４５４５５ｓＲＧＢ）’が記録され、ｃＨＲＭ（Ｐｒｉｍａｒｙ  ｃｈｒｏｍａｔｉｃｉｔｉｅｓ）情報には、例えば‘Ｗｈｉｔｅ  ｐｏｉｎｔ  ｘ’情報、‘Ｗｈｉｔｅ  ｐｏｉｎｔ  ｙ’情報、‘Ｒｅｄ  ｐｏｉｎｔ  ｘ’情報、‘Ｒｅｄ  ｐｏｉｎｔ  ｙ’情報、‘Ｇｒｅｅｎ  ｐｏｉｎｔ  ｘ’情報、‘Ｇｒｅｅｎ  ｐｏｉｎｔ  ｙ’情報、‘Ｂｌｕｅ  ｐｏｉｎｔ  ｘ’情報、‘Ｂｌｕｅ  ｐｏｉｎｔ  ｙ’情報が記録される。
【００６５】
また、ｃＨＲＭ情報には、ｓＲＧＢ（Ｓｔａｎｄａｒｄ  ＲＧＢ  ｃｏｌｏｒ  ｓｐａｃｅ）情報とｐＨＹｓ（Ｐｈｙｓｉｃａｌ  ｐｉｘｅｌ  ｄｉｍｅｎｓｉｏｎｓ）情報がさらに含まれる。そのｐＨＹｓ情報に記録される‘Ｐｉｘｅｌｓ  ｐｅｒ  ｕｎｉｔ  ｘ’は、例えば画面比４：３または１６：９を示し、‘Ｐｉｘｅｌｓ  ｐｅｒ  ｕｎｉｔ  ｙ’は、例えばＮＴＳＣまたはＰＡＬを示す値が記録される。
【００６６】
コンテンツディスクのメインＡ／Ｖデータとコンテンツデータを再生するための対話型光ディスクプレーヤーにおいて、本発明によるシステムは、対話型ＤＶＤまたはコンテンツサーバーから受信するコンテンツデータに含まれたアニメーションデータのＭＮＧファイルをＰＮＧファイルとＪＮＧファイルに分離する。
【００６７】
本システムは各ファイルに含まれたイメージデータをデコーディングして、ファイルに含まれた制御情報を参照して、イメージデータを多様なアニメーションイメージとしＴ再生することによって、対話型光ディスクプレーヤーはアニメーションデータをメインＡ／Ｖデータと效率的に連係して再生することができる。
【００６８】
本明細書に記載されたプログラム、モジュール、過程などは、単純に例を挙げるためのことであって、特定のコンピュータ、装置、コンピュータプログラム言語と関連されたり限定されない。むしろ、多様な形態の汎用コンピュータマシンまたは装置が本発明による特徴によって実現されるロジックコード（ｌｏｇｉｃ  ｃｏｄｅ）と共に使用することができる。
【００６９】
また、本発明による方法で段階を実施する順序は例として説明したものであるる。事実、本発明で異なるように提示されない限り、それらの段階は任意の順序でまたは平行して実行されることができる。本発明による方法は、本発明が属する技術分野で現在知られた用語である、ハードウェア、ソフトウェア、またはこれらの組合で実現させることができる。
【００７０】
特に、本発明による方法はソフトウェア、ファームウエア、任意の類型のコンピュータで作動するマクロコードにより実行させることができる。また、本発明を実装するソフトウェアは、ＲＯＭ、ＲＡＭ、磁気媒体、穿孔テープまたはカード、ＣＤ、ＤＶＤなどの媒体にコンピュータ命令として構成させることができる。
【００７１】
また、ソフトウェアは搬送波に載せられたコンピュータ信号の形態であってもよく、またはインターネットを介して連結されたコンピュータのウェブページを介してアクセスすることができる。したがって、本発明は、本発明で異なるように提示されない限り、特定プラットホームに限定されない。
【００７２】
以上のように、対話型ディスクのアニメーションデータを管理する方法とシステムが提供された。このような本発明は望ましい実施形態を参照にして説明したが、当業者ならば本発明の技術的範囲内で前記望ましい実施形態に対する変更及び修正が可能であることである。
【００７３】
説明した実施形態はすべての観点で単に例のために考慮されるべきで、いかなる場合にも制限されない。したがって、本発明の多くの観点を支援することができる他の実施形態、システム構造、プラットホーム、装置は、説明した本発明の技術的特徴から外れない状態で利用されることができる。
【００７４】
記載された実施形態の特徴の適応と組合は本発明の範囲内に含まれる。本発明は特許請求範囲とその均等の範囲により限られる。
【図面の簡単な説明】
【００７５】
【図１】本発明の一実施形態による、対話型光ディスクでアニメーションデータ及びその属性情報を管理するための対話型ディスクプレーヤーに対する構成を示したものである。
【図２】本発明の一実施形態による、対話型ＤＶＤのＡ／Ｖデータとアニメーションデータが連係して再生される方法を示したものである。
【図３】本発明の一実施形態による、アニメーションデータのグラフィックファイル構造を示したものである。
【図４】本発明の一実施形態による、図１の対話型ディスクプレーヤーのエレメントデコーダーの一部であってアニメーションデコーダーに対する構成を示したものである。
【図５】グラフィックファイル構造に対するデータ構造を示したものである。
【図６】グラフィックファイル構造に対するデータ構造を示したものである。
【図７】グラフィックファイル構造に対するデータ構造を示したものである。
【図８】グラフィックファイル構造に対する他の実施形態を示したものである。
【図９】グラフィックファイル構造に対する他の実施形態を示したものである。
【図１０】本発明によるグラフィックファイル構造に対するさらに実施形態を示したものである。
【図１１】本発明によるグラフィックファイル構造に対するさらに他の実施形態を示したものである。
【図１２】本発明によるグラフィックファイル構造に対するさらに他の実施形態を示したものである。
【図１】
2008035535.tif 000003
【図２】
2008035535.tif 000004
【図３】
2008035535.tif 000005
【図４】
2008035535.tif 000006
【図５】
2008035535.tif 000007
【図６】
2008035535.tif 000008
【図７】
2008035535.tif 000009
【図８】
2008035535.tif 000010
【図９】
2008035535.tif 000011
【図１０】
2008035535.tif 000012
【図１１】
2008035535.tif 000013
【図１２】
2008035535.tif 000014